(57)【特許請求の範囲】
【請求項１】
交流電流を発振し、該交流電流を出力する出力端子と、ケースと、該ケースに内設されており、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入された複数のガラス容器部とを有する電流生成部と、
金属製の筒体、及び該筒体の両端部に内設され、又は一部が突出する状態で設けられ、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入されたガラス容器部を備える一対の電極部と、
前記出力端子と、前記一対の電極部とを接続するリードと
を備えることを特徴とする電流供給装置。
【請求項２】
交流電流を発振し、該交流電流を出力する出力端子と、ケースと、該ケースに内設されており、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入された複数のガラス容器部とを有する電流生成部と、
円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入された１又は複数個のガラス容器部が、湾曲した金属板に設けられた分体を環状に複数個連結した一対の電極部と、
前記出力端子と、前記一対の電極部とを接続するリードと
を備えることを特徴とする電流供給装置。
【請求項３】
一対の電極部は、人体の両手首に嵌められる大きさを有することを特徴とする請求項２に記載の電流供給装置。
【請求項４】
一対の電極部は、人体の両足首に嵌められる大きさを有することを特徴とする請求項２に記載の電流供給装置。
【請求項５】
一対の電極部は、人体の胸部と胴部とに嵌められる大きさを有することを特徴とする請求項２に記載の電流供給装置。
【請求項６】
一対の電極部は、人体の頭部と首部とに嵌められる大きさを有することを特徴とする請求項２に記載の電流供給装置。
【発明の詳細な説明】
【技術分野】
【０００１】
本発明は、低周波数で発振する電流、又は微弱電流を人体に供給する電流供給装置に関する。
【背景技術】
【０００２】
人体には、種々の生体電流が流れている。この生体電流として、神経を流れる電流、細胞膜イオンチャンネルを通過する電流、細胞内代謝に使われる電流、そして打撲及び捻挫等、生体が傷ついたときに流れる損傷電流等が挙げられる。損傷電流は受傷部位の治療を促進させる。
【０００３】
この損傷電流のような身体に感じない程の微弱な生体電流と同程度の微弱電流（マイクロカレント）を人体（組織）に通電して、組織の治癒促進を図り、痛み及び腫れ等を改善させる療法（マイクロカレント療法）が知られている。
組織に微弱電流を流すと、細胞内のミトコンドリアの電子伝達系が活性化され、ＡＴＰ（アデノシン三リン酸）の生成が促進されることが知られている。ＡＴＰは筋肉活動、新陳代謝、タンパク質合成等、あらゆる生命活動のエネルギー源であり、害された組織の修復にもＡＴＰが利用される。すなわち、マイクロカレントを組織に流し、体内の電流の流れを円滑にすることで、ＡＴＰの生成が促進され、エネルギーが増加し、細胞のイオン交換が活発になって細胞が活性化され、その結果、害された組織の治癒が促進され、退化した組織の機能が回復される。
【０００４】
マイクロカレント療法の適応例は幅広く、種々の疾患治療及び美容等に用いられている。治療すべき疾患のうち、筋肉系疾患としては疼痛、腫れ、骨膜炎、関節炎、骨液包炎等が挙げられ、神経系疾患としては疼痛、痺れ、麻痺等が挙げられ、骨格系疾患としては骨折等が挙げられ、循環器系疾患としては静脈炎、動脈瘤、動脈硬化等が挙げられる。
【０００５】
従来、低周波数で発振した電流、又はマイクロカレントを人体に供給して筋肉等を刺激し、自然治癒力の向上を図った、種々の低周波治療器、及びマイクロカレント治療器等が知られている。
特許文献１には、腕、腰等の人体の所定部位に電極を介してパルス状の低周波電流又はマイクロカレントを与え、その部分の筋肉を収縮させることにより、ダイエット及び筋肉を鍛える等のトレーニングを行うようにした電気筋肉刺激装置の発明が開示されている。ここで、マイクロカレントを与える場合、低周波発振電流（略１０ｍＡ）の略1/1000〜1/200の強度の電流、すなわち、１０〜５００μＡの電流を発振する。
【先行技術文献】
【特許文献】
【０００６】
【特許文献１】特開２００５−０１３５９３号公報
【発明の概要】
【発明が解決しようとする課題】
【０００７】
人体は体表面又は体内がプラスに帯電していることが多く、血液及びリンパ液等の体液、並びに気の流れが悪くなり、血圧上昇、血糖増加、血管収縮及び利尿抑制等の生体作用が生じ、その結果、細胞の活性が減じ、人は興奮しやすくなり、不快感があり、不眠になり、食欲が減退する等の症状が現れ、美容上のトラブル、筋肉痛等の健康障害及び疾病が誘発されることが知られている。
このように人体が帯電している場合に特許文献１等の電気筋肉刺激装置を用いたとき、一定の効果は得られるが、人体に帯電した静電気により微弱電流の流れが弱められるので、速効性がなく、効果が持続せず、また、長時間使用した場合、人体の帯電量がさらに増加して気分が悪くなるという問題があった。
【０００８】
本発明は斯かる事情に鑑みてなされたものであり、低周波電流又は微弱電流を人体に良好に供給することができる電流供給装置を提供することを目的とする。
【課題を解決するための手段】
【０００９】
本発明者等は、鋭意研究の結果、端部を円錐状又は曲面状に形成してあり、負に帯電させた粒状又は粉末状のＳｉ，ＳｉＯx （０＜ｘ≦２）を封入してあるガラス容器部を、低周波電流を発振する低周波治療器、又はマイクロカレント治療器の電極に設けることにより、低周波治療器又はマイクロカレント治療器から人体に良好に低周波電流又はマイクロカレントを供給することができることを見出し、本発明を完成するに至った。
【００１０】
ここで、負に帯電するとは、負電荷を与えられること、負の静電気を帯びることを意味し、マイナスイオン化ともいう。Ｓｉの酸化物としては、ＳｉＯ2 又はＳｉＯだけでなく、ｘとして小数点付きの酸化物もあり、この存在は永見剛一が著した「ＳｉＯ蒸着膜の性質」という研究論文で明らかにされている。
【００１１】
すなわち、本発明に係る電流供給装置は、交流電流を発振し、該交流電流を出力する出力端子と、ケースと、該ケースに内設されており、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入された複数のガラス容器部とを有する電流生成部と、金属製の筒体、及び該筒体の両端部に内設され、又は一部が突出する状態で設けられ、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入されたガラス容器部を備える一対の電極部と、前記出力端子と、前記一対の電極部とを接続するリードとを備えることを特徴とする。
【００１２】
本発明に係る電流供給装置は、交流電流を発振し、該交流電流を出力する出力端子と、ケースと、該ケースに内設されており、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入された複数のガラス容器部とを有する電流生成部と、円錐状、２つの円錐につき底面同士を合わせた形状、擬宝珠状、葱坊主状、又は円筒の両端部に円錐、略半球、若しくは円板を連設した形状をなし、負に帯電させた粒状又は粉末状のＳｉ，ＳｉＯx （０＜ｘ≦２）を封入された１又は複数個のガラス容器部が、湾曲した金属板に設けられた分体を環状に複数個連結した一対の電極部と、前記出力端子と、前記一対の電極部とを接続するリードとを備えることを特徴とする。
【００１３】
本発明に係る電流供給装置は、一対の電極部は、人体の両手首に嵌められる大きさを有することを特徴とする。
【００１４】
本発明に係る電流供給装置は、一対の電極部は、人体の両足首に嵌められる大きさを有することを特徴とする。
【００１５】
本発明に係る電流供給装置は、一対の電極部は、人体の胸部と胴部とに嵌められる大きさを有することを特徴とする。
【００１６】
本発明に係る電流供給装置は、一対の電極部は、人体の頭部と首部とに嵌められる大きさを有することを特徴とする。
【００１９】
また、電流生成部に、負に帯電させた粒状又は粉末状のＳｉ，ＳｉＯx （０＜ｘ≦２）を封入された複数のガラス容器部を備える場合、電流量の減少をより抑制することができ、良好に人体に電流を供給することができる。
【発明の効果】
【００２０】
本発明の電流供給装置によれば、人体に静電気が帯電している場合においても、電極部に備えられるガラス容器部より負電荷が供給されるので、低周波電流又は微弱電流を人体に良好に供給することができる。
【図面の簡単な説明】
【００２１】
【図１】本発明の実施の形態１に係る電流供給装置を示す斜視図である。
【図２】電流生成装置の構成を示すブロック図である。
【図３】電極部を示す平面図である。
【図４】電極部を示す断面図である。
【図５】電流供給装置の製造に適用する負電荷付与装置を示す斜視図である。
【図６】メタリックシリコンを焼成する建物及び敷地を示す側面図である。
【図７】メタリックシリコンを焼成する建物及び敷地を示す平面図である。
【図８】本発明の実施の形態２に係る電流供給装置を示す平面図である。
【図９】本発明の実施の形態３に係る電流供給装置を示す斜視図である。
【図１０】嵌合リングを人体の手首に嵌めた状態を示す斜視図である。
【図１１】嵌合リングの分体を示す斜視図である。
【図１２】嵌合リングの分体を示す断面図である。
【図１３】他の嵌合リングを人体の手首に嵌めた状態を示す斜視図である。
【図１４】他の嵌合リングの分体を示す斜視図である。
【図１５】他の嵌合リングの分体を示す断面図である。
【図１６】実施例４の頭部、胴部、足首に流れている電流量を測定した結果を示すグラフである。
【図１７】実施例５の頭部、胴部、足首に流れている電流量を測定した結果を示すグラフである。
【図１８】実施例５の頭部、胴部、足首に流れている電流量を測定した結果を示すグラフである。
【図１９】実施例５の頭部、胴部、足首に流れている電流量を測定した結果を示すグラフである。
【図２０】実施例５の頭部、胴部、足首に流れている電流量を測定した結果を示すグラフである。
【図２１】実施例５の頭部、胴部、足首に流れている電流量を測定した結果を示すグラフである。
【図２２】実施例６の頭部、胴部、足首に流れている電流量を測定した結果を示すグラフである。
【図２３】実施例６の頭部、胴部、足首に流れている電流量を測定した結果を示すグラフである。
【図２４】実施例６の頭部、胴部、足首に流れている電流量を測定した結果を示すグラフである。
【図２５】実施例６の頭部、胴部、足首に流れている電流量を測定した結果を示すグラフである。
【図２６】実施例６の頭部、胴部、足首に流れている電流量を測定した結果を示すグラフである。
【図２７】実施例７の頭部、胴部、足首に流れている電流量を測定した結果を示すグラフである。
【図２８】実施例７の頭部、胴部、足首に流れている電流量を測定した結果を示すグラフである。
【図２９】実施例８の頭部、胴部、足首に流れている電流量を測定した結果を示すグラフである。
【図３０】実施例８の頭部、胴部、足首に流れている電流量を測定した結果を示すグラフである。
【図３１】実施例８の頭部、胴部、足首に流れている電流量を測定した結果を示すグラフである。
【図３２】実施例８の頭部、胴部、足首に流れている電流量を測定した結果を示すグラフである。
【図３３】実施例８の頭部、胴部、足首に流れている電流量を測定した結果を示すグラフである。
【図３４】実施例８の頭部、胴部、足首に流れている電流量を測定した結果を示すグラフである。
【発明を実施するための形態】
【００２２】
以下、本発明をその実施の形態を示す図面に基づき具体的に説明する。
実施の形態１．
図１は、本発明の実施の形態１に係る電流供給装置１０を示す斜視図である。
電流供給装置１０は、六角柱状をなす電流生成装置１と、万年筆形状をなす一対の電極部３と、電流生成装置１に設けられた出力端子１５と、該出力端子１５と電極部３とを接続する一対のリード４とを備える。電流生成装置１の６つの角部の内側にはガラス管部２６が設けられている。ガラス管部２６はガラス製であり、円筒の両端部に円錐を連設した形状をなし、後述するようにして負に帯電させた粒状のメタリックシリコン８を封入してある。
【００２３】
図２は、電流生成装置１の構成を示すブロック図である。
電流生成装置１は、電源部１１と、駆動部１２と、周波数設定部１３と、発振部１４と、前記出力端子１５とを備える。該出力端子１５に前記電極部３が接続される。
電源部１１は外部電源から電力を供給され、周波数設定部１３により設定された断続周波数で駆動部１２は発振部１４を駆動し、これにより発振部１４は電流を発振し、出力端子１５から前記電流が出力される。
【００２４】
図３は電極部３を示す平面図、図４は電極部３を示す断面図である。
電極部３は、ケース３１と、第１ガラス容器部３２と、第２ガラス容器部３３と、モータ３４と、偏心おもり部３５と、電池３６とを備える。ケース３１は例えばアルミニウム製の導電性の材料からなり、円筒状をなす。ケース３１の一端部は円錐状をなし、円錐の頂点に孔が設けられている。キャップ３７は円筒状をなし、先端部は半球状をなし、頂点に孔が設けられている。ケース３１の他端部に、キャップ３７が被せられ、時計回りに締め付けるように構成されている。
【００２５】
第１ガラス容器部３２はガラス製であり、円筒の両端部に円錐を連設した形状をなし、負に帯電させた粒状のメタリックシリコン８を封入してある。第１ガラス容器部３２は、一端部の円錐の頂点をケース３１の前記一端部の前記孔に差し入れた状態で、ケース３１の該一端部側に内設されている。
第２ガラス容器部３３はガラス製であり、擬宝珠状をなす。ケース３１の他端部に、第２ガラス容器部３３が、頂点が突出する状態で設けられており、キャップ３７をケース３１に締め付けたときに、第２ガラス容器部３３は、頂点をキャップ３７の前記孔に向けた状態で、キャップ３７の内側に収納される。
【００２６】
ケース３１の中央部に、モータ３４及び偏心おもり部３５が内設されている。モータ３４の、ケース３１の前記他端部側に、電池３６が収納されるように構成されている。
キャップ３７をケース３１に締め付けたときに、電池３６によりモータ３４に電流が流れ、偏心おもり部３５が回転して、電極部３が振動するように構成されている。
なお、電極部３に代えて、特許第４２８２３１６号のベッドに備えられる静電気軽減具を電流生成装置１に接続することにしてもよい。この静電気軽減具は、モータを内蔵した円筒状の金属製のケースの一端側に、負に帯電したメタリックシリコンが封入され、円筒の両端部に円錐を連設した形状をなすガラス管が内蔵してあり、他端側には擬宝珠形のガラス容器部が設けてある。
【００２７】
ガラス容器３に封入されるメタリックシリコン８は、以下のようにして負に帯電させてある。
図５は、本実施の形態に係る電流供給装置１０の製造に適用する負電荷付与装置を示す斜視図である。
負電荷付与装置は、石英坩堝１９、銅板１６、コード１７及び静電気発生装置１８（特許第４５０８４４２号）を備えたものである。開口面の内径が略４０ｃｍ、高さが略４０ｃｍの石英坩堝１９の開口側外縁部及び底部が、それぞれ銅板１６及びコード１７を介して静電気発生装置１８に接続されている。
静電気発生装置１８を作動させ、石英坩堝１９にマイナスイオンを３時間程度供給し、石英坩堝１９から正の静電気を十分に除去した後、Ｓｉ純度が９９．５％のメタリックシリコン（粒径０．２〜２ｍｍ）８を１ｋｇ、開口側から石英坩堝１９に投入し、静電気発生装置１８を作動させた状態で、所定時間（３〜１５分）放置し、メタリックシリコン８に負電荷を付与させる。
【００２８】
次に、前記メタリックシリコン８を焼成する。
図６は、メタリックシリコン８を焼成する建物及び敷地を示す側面図であり、図７はその平面図である。１００坪の敷地２２の中央部に、建物２１（底面３．６ｍ×９．０ｍ）が建てられている。敷地２２の四隅と中央（建物２１の中央）には、地下５ｍの深さに、長さ１．５ｍ、直径８ｃｍのガラス管９１に、粒状又は粉末状の５〜６ｋｇの珪素（Ｓｉ）９２を封入、密閉したものであるイオン棒９（特許第２８９６７６２号）がその長手方向を上下方向に一致させて、埋設されている。建物２１の中央部には電気炉２３が配置されている。
【００２９】
上述のようにして負に帯電したメタリックシリコン８を石英坩堝１９から陶器製の坩堝２４に移し、これを、電気炉２３に入れ、８００〜１３００℃で、３０分〜２時間焼成する。坩堝２４は底面の直径が３０ｃｍ、高さ２０ｃｍである。この坩堝２４も石英坩堝１９と同様にして予め負電荷を付与されている。焼成後にメタリックシリコン８は赤、青、緑、黄、紫、エンジ及び金色のうちのいずれかの色になる。
なお、イオン棒９のガラス管９１の長さ及び直径、並びにＳｉ９２の量は、建物２１及び敷地２２の大きさ等により適宜選択すればよい。イオン棒９の埋設位置、深さ及びその個数も、建物２１及び敷地２２の大きさ及び形状等を考慮して適宜選択する。
そして、この実施形態においては、ガラス管９１にＳｉ９２を封入しているが、ＳｉＯx を封入してもよい。この場合、ｘは、１．０＜ｘ≦２．０であるのが好ましい。
さらに、図５の負電荷付与装置を用いる代わりに、メタリックシリコン８を敷地２２内において１日から１週間以上放置し、その後焼成することにしてもよい。
【００３０】
本実施の形態１に係る電流供給装置１０においては、ユーザの指示等に基づき周波数設定部１３により設定された周波数で駆動部１２が発振部１４を駆動し、発振部１４が電流を発振する。そして、出力端子１５にリード４を介し接続された電極部３をユーザが両手に握ることによりユーザに電流が供給される。このとき、電極部３は振動させる。
以下、具体的な実施例について説明する。
【００３１】
［実施例１］
本発明の実施の形態１に係る電流供給装置１０を用い、周波数５０Ｈｚで電流を発振し、一対の電極部３を、振動させた状態で被験者Ａ（女性、６３歳）が両手に握った場合に、経時的に、通電の電圧値（Ｖ）、通電の電流量（μＡ）、被験者の手の甲及び頭髪の静電電位（ｋＶ）を測定した結果を下記の表１に示す。静電電位は、静電気測定器（シムコジャパン株式会社製、「ＦＭＸ−００３」）を用いて測定した。測定している空間の静電電位は−０．０３ｋＶであった。
【００３２】
【表１】
0006383137.tif 000002
【００３４】
［実施例２］
６本のガラス管部２６を内部に設けず、一対の電極部３の代わりに通常の低周波治療器に用いられる電極パッドをリード４に接続し、かつ発振周波数を１００Ｈｚにしたこと以外は電流供給装置１０と同様の構成を有する電流供給装置を用い、被験者Ｂ（男性、６１歳）が両手に握った場合に、経時的に、通電の電圧値（Ｖ）、通電の電流量（μＡ）、被験者の手首の静電電位（ｋＶ）を測定した結果を下記の表２に示す。静電電位は、静電気測定器（シムコジャパン株式会社製、「ＦＸ−００３」）を用いて測定した。
【００３５】
【表２】
0006383137.tif 000003
【００３６】
被験者Ｂは、電流供給装置の使用途中であくびがよく出るようになり、体の具合が悪くなり、気分が悪くなり、だるくなった。
［比較例１］
６本のガラス管部２６を内部に設けず、一対の電極部３の代わりに通常の低周波治療器に用いられる電極パッドをリード４に接続したこと以外は電流供給装置１０と同様の構成を有する電流供給装置を用い、前記被験者Ａが両手に握った場合に、経時的に、通電の電圧値（Ｖ）、通電の電流量（μＡ）、被験者の手の甲及び頭髪の静電電位（ｋＶ）を測定した結果を下記の表３に示す。静電電位は、静電気測定器（シムコジャパン株式会社製、「ＦＭＸ−００３」）を用いて測定した。
【００３７】
【表３】
0006383137.tif 000004
【００３８】
［考察］
上述の実施例１において、通電箇所付近の手の甲、及び頭髪の静電電位は１５分〜２０分後に上昇した後、低下し、通電電位は徐々に低下し、通電電流は徐々に上昇していることが分かる。すなわち、電極部３を用いることにより、人体に帯電している静電気が放電しやすい頭髪に移動して放電していることが分かる。そして、人体の静電気の帯電量が減少するに従って電流供給装置１０の通電電圧が低下し、通電電流が上昇し、生体電流に近いマイクロカレントが人体に流れやすくなっていることが分かる。
【００３９】
比較例１の場合、手の甲の静電電位は３０分後に最高値になり、その後減少したが、４０分後には通電前の値と略同等の値まで上昇している。頭髪の静電電位は２０分後に最高値になり、その後、少し減少したが、４０分後には通電前の値より略１．７ｋＶ高くなっている。当初の通電電圧は２．２Ｖ、通電電流は７５μＡであったが、４０分後に通電電圧は変わらず、通電電流は僅かに上昇している。実施例１の場合、手の甲の静電電位は当初の値より小さくなっている。
【００４０】
実施例２の場合、当初の通電電圧は２．３Ｖ、通電電流は８０μＡであったが、４０分後に通電電流が７０μＡに下がっている。手首の静電電位は一旦低下したが、１０分後に上昇し始め、１５分後にピークに達し、その後徐々に低下している。実施例１の場合、手の甲の静電電位は当初の値より小さくなっている。
【００４１】
従来の電流供給装置においては、人体に帯電している静電気によりマイクロカレントが流れるのが阻害され、人体の静電気の帯電量は低減することはできず、増加しているのに対し、本実施の形態の電流供給装置１０によれば、静電気を軽減・除去しながら人体に効率よくマイクロカレントを供給できることが分かる。その結果、生体電流が流れやすくなり、体の痛み等が軽減したと考えられる。
【００４２】
実施の形態２．
図８は、本発明の実施の形態２に係る電流供給装置４０を示す平面図である。
電流供給装置４０は、携帯可能な矩形状の電流生成装置４１と、該電流生成装置４１に設けられた出力端子４４と、該出力端子４４にリード４を介し接続された一対の電極部３とを備える。電流生成装置４１は、複数のスイッチ４２と、液晶表示部４３とを備える。電極部３の構成は、実施の形態１に係る電流供給装置１０の電極部３と同一の構成を有する。
【００４３】
電流生成装置４１は、実施の形態１に係る電流生成装置１と同様の機能部を有する。
ユーザのスイッチ４２の操作により入力された周波数に従い、電源部からの電力により駆動部が発振部を駆動し、電流が発振され、出力端子４４から出力される。電流生成装置４１においては、電源部は電池である。
【００４５】
【表４】
0006383137.tif 000005
【００４６】
［比較例２］
Ｉ社製のマイクロカレント治療器が本来備える電極パッドを前記被験者Ａの手のひらに貼り付けて、周波数４００Ｈｚで通電した場合に、上記と同様に頭髪の静電電位を測定した結果を下記の表５に示す。
【００４７】
【表５】
0006383137.tif 000006
【００４８】
従来の電極パッドを接続したＩ社製のマイクロカレント治療器の３０分以上の使用により、被験者Ａは次第に気分が悪くなり、体がだるくなった。
【００４９】
［考察］
実施例３の場合、人体に帯電する静電気の量が次第に減少しているのに対し、比較例２の場合、次第に上昇することが分かる。
以上より、電流供給装置において、従来、備えられていた電極パッドに代えて電極部３を用いることにより、人体に帯電する静電気が軽減・除去され、マイクロカレントが人体に効率良く供給され、生体電流が流れやすくなり、自然治癒力が増強されることが確認された。
【００５０】
実施の形態３．
図９は、本発明の実施の形態３に係る電流供給装置５０を示す斜視図である。
電流供給装置５０は、四角柱状をなす電流生成装置５１と、電流生成装置５１の一側面に設けられたスイッチ５２と、電流生成装置５１の上面に設けられた、周波数の切り替えのためのダイアル５３と、電流生成装置５１の他側面に設けられた複数の電圧計５４，複数の電流計５５，複数の出力端子５６と、人体の各部に嵌める嵌合リング６ａ，６ｂ，６ｃ，６ｄ，６ｅ，６ｆと、嵌合リング６ａ，６ｂ，６ｃ，６ｄ，６ｅ，６ｆと出力端子５６とを接続するリード４とを備える。
【００５１】
電流生成装置５１の４つの角部の内側には実施の形態１に係る電流供給装置１０と同一のガラス管部２６が設けられている。ダイアル５３はユーザの操作により、周波数を０．１Ｈｚ〜１０Ｈｚの間で切り替えるようにしてある。
嵌合リング６ａは人体の手首に、嵌合リング６ｂは足首に、嵌合リング６ｃは胸部に、嵌合リング６ｄは腹部に、嵌合リング６ｅは頭部に、嵌合リング６ｆは首部に嵌められる大きさを有する。一対の嵌合リング６ａは同時に人体の両手首に嵌められ、一対の嵌合リング６ｂは同時に人体の両足首に嵌められる。嵌合リング６ｃが胸部に嵌められた場合、同時に嵌合リング６ｄが腹部に嵌められる。嵌合リング６ｅは頭部に嵌められた場合、同時に嵌合リング６ｆは首部に嵌められる。各組の嵌合リングを全て用いてもよく、いずれか１組以上を用いることにしてもよい。
【００５２】
図１０は嵌合リング６ａを人体の手首に嵌めた状態を示す斜視図、図１１は嵌合リング６ａの分体６１を示す斜視図、図１２は分体６１を示す断面図である。
嵌合リング６ａの分体６１は、上に凸に湾曲した例えば銅製等の金属板に、円錐状をなし、負に帯電させた粒状又は粉末状のＳｉ，ＳｉＯx （０＜ｘ≦２）を封入したガラス容器部６２を１個又は２個設けてなる。ガラス容器部６２は、円錐の頂点が分体６１の裏側に突き抜ける状態で、分体６１の中央部に設けられた挿通孔６１ａを挿通され、例えばエポキシ樹脂等により、分体６１の表側で固定されている。
嵌合リング６ａは、分体６１を例えば８個連結して得られる。隣り合う分体６１同士はピンにより連結される。ガラス容器部６２は嵌合リング６ａ，６ｂ，６ｃ，６ｄ，６ｅ，６ｆそれぞれに１１個以上、設けるのが好ましい。
【００５３】
電流生成装置５１は、実施の形態１に係る電流生成装置１と同様の機能部を有する。
ユーザのダイアル５３の切り替え操作により入力された周波数に基づいて、電源部からの電力により駆動部が発振部を駆動し、電流が発振され、出力端子５６から出力される。出力端子５６にリード４を介し接続された嵌合リング６ａ，６ｂ，６ｃ，６ｄ，６ｅ，６ｆにより、マイクロカレントが人体に供給される。
【００５４】
電流供給装置５０の使用方法の一例として、嵌合リング６ａ，６ｂ，６ｃ，６ｄ，６ｅ，６ｆを全て用い、周波数を０．１Ｈｚ〜１０Ｈｚの間で切り替え、各周波数で３Ｖの電圧を５分間印加するのを１クールとし、これを複数クール行うことが挙げられる。
【００５５】
［嵌合リングの変形例］
図１３は、他の嵌合リング７ａを人体の手首に嵌めた状態を示す斜視図、図１４は嵌合リング７ａの分体７１を示す斜視図、図１５は分体７１を示す断面図である。
嵌合リング７ａの分体７１は、上に凸に湾曲した例えば銅製等の金属板に、葱坊主状をなし、負に帯電させた粒状又は粉末状のＳｉ，ＳｉＯx （０＜ｘ≦２）を封入したガラス容器部７２を１個又は２個設けてなる。ガラス容器部７２は、下側の頂点が分体７１の裏側に突き抜ける状態で、分体７１の中央部に設けられた挿通孔７１ａを挿通され、例えばエポキシ樹脂等により、分体７１の表側で固定されている。
嵌合リング７ａは、分体７１を例えば８個連結して得られる。隣り合う分体７１同士はピンにより連結される。ガラス容器部７２は嵌合リング７ａ全体で１１個以上、設けるのが好ましい。
【００５６】
以下、具体的な実施例について説明する。
［実施例４］
嵌合リング６ａ，６ｂ，６ｃ，６ｄ，６ｅ，６ｆを有する電流供給装置５０を用い、各嵌合リングを被験者Ｃ（男性、７３歳）の対応する各部に嵌め、上述の１クールの処理を１０クール分行った。この場合の頭部と首部間、胴部と腹部間、両足首に流れている電流量を測定した結果を図１６に示す。
【００５７】
［実施例５］
被験者Ｃ（女性、４７歳）につき、クール数を３０クールにしたこと以外は実施例３と同様にして処理を行った。この場合の頭部と首部間、胴部と腹部間、両足首に流れている電流量を測定した結果を図１７〜図２１に示す。
【００５８】
［実施例６］
被験者Ｄ（男性、６２歳）につき、クール数を３０クールにしたこと以外は実施例３と同様にして処理を行った。この場合の頭部と首部間、胴部と腹部間、両足首に流れている電流量を測定した結果を図２２〜図２６に示す。
【００５９】
［実施例７］
被験者Ｅ（男性、４８歳）につき、クール数を３０クールにしたこと以外は実施例３と同様にして処理を行った。この場合の頭部と首部間、胴部と腹部間、両足首に流れている電流量を測定した結果を図２７及び図２８に示す。
【００６０】
［実施例８］
被験者Ｆ（男性、５２歳）につき、クール数を３０クールにしたこと以外は実施例３と同様にして処理を行った。この場合の頭部と首部間、胴部と腹部間、両足首に流れている電流量を測定した結果を図２９〜図３４に示す。
【００６１】
図１６〜図３４より、各被験者ともに、１クールの処理を繰り返すのに従い、頭部、胴部、足首部の電流値は減少することなく、上昇していることが分かる。これにより、電流供給装置５０から人体に良好にマイクロカレントが供給されていることが確認された。
【００６２】
以下に、症例について説明する。
［症例１］
嵌合リング６ａ，６ｂ，６ｃ，６ｄ，６ｅ，６ｆを有する電流供給装置５０を用い、各嵌合リングを前記被験者Ｂの対応する各部に嵌め、上述の１クールの処理を８クール分行った。
【００６３】
４クール目の通電時に両足親指にかゆみがあった。このときの通電電圧値、通電電流値は以下の通りである。
通電電圧値（Ｖ）            通電電流値（μＡ）
頭部        ３                          １００〜１３０
腹部        ３                          ４００〜５００
足部        ３                          ２００〜２５０
右側腹部に震えがあり、のど仏に痛みが出て１分後に消滅した。
【００６４】
５クール目の通電時に眠りから目が覚めた。このときの通電電圧値、通電電流値は以下の通りである。
通電電圧値（Ｖ）            通電電流値（μＡ）
頭部        ３                          ２００〜２２０
腹部        ３                          ４００〜５００
足部        ３                          ２００〜２５０
両足親指付近にモヤモヤとした痺れ感があった。
【００６５】
６クール目の通電時に、両足親指付近にモヤモヤとした痺れ感があった。
通電電圧値（Ｖ）            通電電流値（μＡ）
頭部        ３                          １７０〜１９０
腹部        ３                          ４００〜５００
足部        ３                          ２００〜２５０
足裏に痺れ感があった。
右足親指の根元部をゴムで縛られているような感覚があった。
【００６６】
７クール目の通電時に、右足親指根元部にゴムで縛られているような感覚があった。
通電電圧値（Ｖ）            通電電流値（μＡ）
頭部        ３                          １８０〜２００
腹部        ３                          １９０〜２４０
足部        ５（印加）                  ４６０〜５００
途中まで眠り、右足親指の違和感は1/2に減少した。
【００６７】
８クール目の通電時に、左足親指の根元部のむくみが消滅した。
通電電圧値（Ｖ）            通電電流値（μＡ）
頭部        ３                            ８０〜１２０
４                                  ３００
腹部        ３                          ４００〜５００
足部        ５．５                      ４４０〜５００
【００７８】
以上より、電流供給装置５０の使用時に、嵌合リング６ａ，６ｂ，６ｃ，６ｄ，６ｅ，６ｆに備えられるガラス容器部６１より負電荷が供給され、人体に帯電した静電気が軽減・除去されるので、マイクロカレントの量が減じることなく、安定的に人体に供給することができ、その結果、生体電流と同程度の電流が人体（組織）に通電され、組織の治癒が促進され、痛み及び腫れ等が改善されたことが確認された。
【００７９】
以上説明した実施の形態１〜３は本発明の例示であり、本発明は特許請求の範囲に記載された事項及び特許請求の範囲の記載に基づいて定められる範囲内において種々変更した形態で実施することができる。
例えば電流供給装置５０に、全ての嵌合リング６ａ，６ｂ，６ｃ，６ｄ，６ｅ，６ｆを接続している場合に限定されるものではなく、電流供給装置を４台備え、嵌合リングの６ａ，６ａ、６ｂ，６ｂ、６ｃ，６ｄ、６ｅ，６ｆの組毎に、各別に電流供給装置を接続することにしてもよい。
【００８０】
また、電極部３は、第１ガラス容器部３２が、円筒の両端部に円錐を連設した形状をなし、第２ガラス容器部３３が擬宝珠状をなす場合に限定されるものではなく、ガラス容器部は、円錐状、２つの円錐につき底面同士を合わせた形状、葱坊主状、円筒の両端部に略半球若しくは円板を連設した形状、又は他の形状をなすものであってもよい。
【００８１】
さらに、嵌合リングに設けられるガラス容器部は、円錐状、又は葱坊主状をなす場合に限定されるものではなく、２つの円錐につき底面同士を合わせた形状、擬宝珠状、円筒の両端部に円錐、略半球、若しくは円板を連設した形状、又は他の形状をなすものであってもよい。但し、前記ガラス容器部は円錐状、又は葱坊主状をなすのが好ましい。
そして、ガラス管部２６も円筒の両端部に円錐を連設した形状をなす場合に限定されず、円筒の両端部に略半球又は円板を連設したものであってもよく、また円錐状、２つの円錐につき底面同士を合わせた形状、擬宝珠状、葱坊主状、又は他の形状をなすものであってもよい。
【符号の説明】
【００８２】
１０、４０、５０  電流供給装置
１、４１、５１  電流生成装置
１１  電源部
１２  駆動部
１３  周波数設定部
１４  発振部
１５  出力端子
３  電極部
３１  ケース
３２  第１ガラス容器部
３３  第２ガラス容器部
３４  モータ
３５  偏心おもり部
３６  電池
４  リード
６ａ、６ｂ、６ｃ、６ｄ、６ｅ、６ｆ、７ａ  嵌合リング
６１、７１  分体
６２，７２  ガラス容器部
８  メタリックシリコン
９  イオン棒
１６  銅板
１７  コード
１８  静電気発生装置
１９  石英坩堝
２１  建物
２２  敷地
２３  電気炉
２４  坩
【図１】
0006383137.tif 000007
【図２】
0006383137.tif 000008
【図３】
0006383137.tif 000009
【図４】
0006383137.tif 000010
【図５】
0006383137.tif 000011
【図６】
0006383137.tif 000012
【図７】
0006383137.tif 000013
【図８】
0006383137.tif 000014
【図９】
0006383137.tif 000015
【図１０】
0006383137.tif 000016
【図１１】
0006383137.tif 000017
【図１２】
0006383137.tif 000018
【図１３】
0006383137.tif 000019
【図１４】
0006383137.tif 000020
【図１５】
0006383137.tif 000021
【図１６】
0006383137.tif 000022
【図１７】
0006383137.tif 000023
【図１８】
0006383137.tif 000024
【図１９】
0006383137.tif 000025
【図２０】
0006383137.tif 000026
【図２１】
0006383137.tif 000027
【図２２】
0006383137.tif 000028
【図２３】
0006383137.tif 000029
【図２４】
0006383137.tif 000030
【図２５】
0006383137.tif 000031
【図２６】
0006383137.tif 000032
【図２７】
0006383137.tif 000033
【図２８】
0006383137.tif 000034
【図２９】
0006383137.tif 000035
【図３０】
0006383137.tif 000036
【図３１】
0006383137.tif 000037
【図３２】
0006383137.tif 000038
【図３３】
0006383137.tif 000039
【図３４】
0006383137.tif 000040